(57)【要約】      （修正有）【課題】生産及び長期保管が容易であり、抗菌、抗ウィルス作用を有する非特異免疫増強剤アルカリとしての溶液組成物とこの組成物の製造方法及び用途を提供する。【解決手段】メタ珪酸ナトリウム（Ｎａ２ＳｉＯ３（５Ｈ２Ｏ）１００重量部に対し、硼砂（Ｎａ２Ｂ４Ｏ７（１０Ｈ２Ｏ）、１〜１５重量部、チオ硫酸ナトリウム（Ｎａ２Ｓ２Ｏ３（５Ｈ２Ｏ）１０−５〜１０−４重量部、炭酸カリウム３０〜１５０重量部、精製白糖（Ｃ１２Ｈ２２Ｏ１１）３０〜２００重量部、水１００〜２００重量部を含み、必要に応じて塩化ナトリウム、チオ硫酸銀、モリブデン酸ナトリウムから選択された１種以上が添加できる。【選択図】図１
2008001714.tif 000002
【特許請求の範囲】
【請求項１】
メタ珪酸ナトリウム（Ｎａ２ＳｉＯ３・５Ｈ２Ｏ）１００重量部に対し、硼砂
（Ｎａ２Ｂ４Ｏ７・１０Ｈ２Ｏ）１〜１５重量部、チオ硫酸ナトリウム（Ｎａ２Ｓ２Ｏ３・５Ｈ２Ｏ）１０−５〜１０−４重量部、炭酸カリウム３０〜１５０重量部、精製白糖（Ｃ１２Ｈ２２Ｏ１１）３０〜２００重量部、水１００〜２００重量部、及び塩化ナトリウム、チオ硫酸銀又はモリブデン酸ナトリウムから選択された１種以
上を１０−１重量部以内で含有することを特徴とする腫瘍治療用アルカリ溶液組成物。
【請求項２】
請求項１記載の組成物を有効成分とする腫瘍治療剤。
【発明の詳細な説明】
【技術分野】
【０００１】
本発明は、多目的の高機能性アルカリ溶液組成物及びその製造方法と非特異性免疫増強剤としての用途に関する。
また、本発明は、より詳しくはメタ珪酸ナトリウム（５水塩）を主成分とするアルカリ溶液組成物及びその製造方法とその用途に関する。
【背景技術】
【０００２】
アルカリ物質の機能性については、２０世紀初めから研究が始まり、多くの研究によると、最近、体質がアルカリ性になる場合、カリウムとナトリウムのイオン化率が上昇して血液の浄化能力を高めて血液を澄ませ、疲労回復の速度を向上させ、老化を遅延させることが明らかにされた。
このようなアルカリ溶液組成物は、本発明者により発明された韓国特許第１２８，１１０号が公開された後、いろいろの分野の産業に適用されている。
上記特許の組成物は、珪酸ナトリウム、過酸化ナトリウム、炭酸カリウム、炭酸ナトリウム、精製白糖及びチオ硫酸を水溶液中に含有させ、その重量比が、炭酸ナトリウム１を基準として珪酸ナトリウム１０〜１８、過酸化ナトリウム０．１〜０．５、炭酸ナトリウム５〜１０、精製白糖１０〜１８、チオ硫酸０．１〜３．０から構成される。上記組成物は遠赤外線放射効率が高くて抗菌性及び脱臭性に優れて繊維製品の後処理用、飼料発酵用及び農業用に現在多く使用されている。
しかし、この技術は製造工程が複雑で長期保管が不便な問題点と、抗ウィルス剤及び汎用非特異性免疫増強剤としては使用できないという問題点がある。
【０００３】
一方、最近、抗生剤の誤用、濫用による多くの副作用が明かされるにしたがって、抗生剤の使用量を減らすため、生体免疫を総合的に増強させることにより、ワクチン接種効果の増進をもたらすか、外部から侵入する疾病原因体に対する生体防御能亢進を誘導する非特異免疫増強剤（Ｎｏｎｓｐｅｃｉｆｉｃ Ｉｍｍｕｎｏｓｔｉｍｕｌａｔｏｒｓ：以下、“ＮＩＳ”という）の開発が世界的に集中されており、日本国では食用キノコ（Ｌｅｎｔｉｎｕｓ ｅｄｏｄｄｅｓ）から抽出した成分が抗癌効果があるという研究結果が発表された。
また、バクテリアから由来したＮＩＳは１世紀以上研究されてきた。最近には、抗体形成及びサイトカイン（ｃｙｔｏｋｉｎｅ）誘導効果とともに免疫機能亢進に関する研究が活発に進行されている。例えば、Ｎｏｒｃａｒｄｉａ ｏｐａｃａ由来の細胞壁成分は、マウスから由来した腹腔マクロファージ（ｍａｃｒｏｐｈａｇｅ）の活性化を誘発するものと発表され（Ｂａｒｏｔ−Ｃｉｏｂａｒｕなど、１９８７）、Ｋｌｅｂｓｉｅｌｌａ ｐｎｅｕｍｏｎｉａｅから由来したＲＵ４１１７４０、Ｐｒｏｐｉｏｎｉｂａｃｔｅｒｉｕｍ ａｖｉｄｕｍから由来したＫＰ−４０、Ｑｕｉｌｌａｊａ ｓａｐｏｎａｒｉａから由来したＱＨ−Ｂなどもｃｙｔｏｋｉｎｅｓの誘導及び免疫細胞の刺激性に関連して研究されている（Ｂｅｓｓｌｅｒなど、１９９７；Ｎｉｍｉｅｒなど、１９９９；Ｒｏｎｎｂｅｒｇなど、１９９７；Ｓｉｗｉｋｉなど、１９９８；Ｔｅｗａｒｉなど、１９９６）。最近にはｉｍｍｕｎｏｓｔｉｍｕｌａｔｏｒｙ ｍｏｔｉｆｓと呼ばれるｂａｃｔｅｒｉａｌ ＤＮＡから由来したＣＰＧ ｍｏｔｉｆが免疫細胞においてＩＬ−６、ＩＬ−１２、ＩＬ−１８及びＩＦＮ−γの発現を効果的に誘導するものと報告されたことがある（Ｂｏｈｌｅなど、１９９９；Ｋｌｉｎｍａｎなど、１９９９；Ｋｒｉｅｇ、１９９９）。
しかし、今まで人間はもちろん、動植物にも適用させ得る生産工程が簡単であり、長期保管が容易であり、低廉なＮＩＳが開発されたことはない。
【発明の開示】
【発明が解決しようとする課題】
【０００４】
本発明は、本発明者らにより開発された上記特許をさらに改良したもので、生産及び長期保管が容易であり、抗菌、抗ウィルス作用を果たし、非特異免疫増強剤（ＮＩＳ）として使用できるアルカリ溶液組成物を提供することを目的とする。
また、本発明のほかの目的は、この組成物の製造方法及び用途を提供することである。
また、本発明のほかの目的は、家畜の増体率を向上させ、作物の収穫量を増大させることである。
また、本発明のほかの目的は、農産物、魚類又は家畜の肉質の新鮮度を長期間維持させることである。
また、本発明のほかの目的は、抗癌効果を有する無毒性非特異免疫増強剤を提供することである。
【課題を解決するための手段】
【０００５】
本発明の組成物は、メタ珪酸ナトリウム（Ｎａ２ＳｉＯ３（５Ｈ２Ｏ）１００重量部に対し、硼砂（Ｎａ２Ｂ４Ｏ７（１０Ｈ２Ｏ）１〜１５重量部、チオ硫酸ナトリウム（Ｎａ２Ｓ２Ｏ３（５Ｈ２Ｏ）１０−５〜１０−４重量部、炭酸カリウム３０〜１５０重量部、精製白糖（Ｃ１２Ｈ２２Ｏ１１）３０〜２００重量部、水１００〜２００重量部を含み、必要に応じて塩化ナトリウム、チオ硫酸銀、モリブデン酸ナトリウムから選択された１種以上が添加できる。上記組成物は、使用時、水に１０〜１０，０００倍希釈して使用することが好ましい。
本発明の製造方法は、メタ珪酸ナトリウム、硼砂、チオ硫酸ナトリウム、塩化ナトリウムなどナトリウム化合物と無水炭酸カリウムを６０〜８０℃の水に順次投入して２〜３時間撹拌しながら溶解させた後、精製白糖を投入し、２〜４時間撹拌することからなる。
【発明の効果】
【０００６】
本発明の組成物は、動植物に適用する場合、耐病性向上、増体率、又は収穫量増加収穫物の品質向上、早期収穫などの効果が得られ、悪性、難治性及びウィルス性疾病の場合はワクチンの効果を極大化させ、別の抗生剤を使用しなくても抗体形成及び免疫増強効果が卓越して優れた効果を収めることができる。
また、動物又は人間の体内で増殖される特定種類の腫瘍の除去又は増殖抑制に著しい効果があるので、その治療剤又は予防剤として効果的に使用できる。そのほかに、本発明の組成物を飼料に添加して家畜に給与すると、畜舎の悪臭がなくなり、害虫の発生が防止される。また、本発明の組成物は、食品の保管の際に、鮮度を長期間維持できるようにするので、鮮度維持剤として効果的に使用できる。
【発明を実施するための最良の形態】
【０００７】
以下、本発明を詳細に説明する。
本発明に使用されるメタ珪酸ナトリウムは、５分子の結晶水を含有しており、
二酸化珪素（ＳｉＯ２）の含量が２７．５〜２９．０％であり、酸化ナトリウム（Ｎａ２Ｏ）の含量が２８．５〜３０．０％で誤差範囲が２％未満であり、市販の液状の珪酸ナトリウに比べて非常に安定する。性状は、白色粉末又は粒状であり、精密計量が容易あり、長期保管及び運搬などが便利である。水に溶解したときは強アルカリ性を呈し、構成元素中の珪素は動植物の成長に必須的な元素である。  
【０００８】
本発明の組成物のうち、硼砂は１０分子の結晶水を含有する比重１．７１５の物質で、構成元素中の硼素（Ｂ）は動植物に欠乏しやすい微量元素である。土壌において硼素成分が不足した場合には、着果が良くなく、障害果実が多く発生する。硼砂は防菌剤、防虫剤、止血又は収斂剤、釉薬原料などに主として使用されている。特に、硼砂は金属酸化物とともに溶解されるとき、これを溶かす特性がある。水に溶解されたときのｐＨは９．５程度であり、本発明の構成上、適切な使用量は、珪酸ナトリウム１００重量部に対して１〜１５重量部の範囲内で用途によって調節される。上記範囲を外れる場合には毒性が発現するおそれがある。
【０００９】
本発明に使用されるチオ硫酸ナトリウムは、５分子の結晶水を有し、アルコールには溶けなく、水に溶ける特異な塩辛い味がある物質である。水に溶けたとき、ｐＨは６．５〜８．０程度の中性であり、ハロゲン化銀又はそのほかの銀塩を溶かす性質を有する。塩素除去剤、重金属除去剤又は鉱石から銀を抽出する用途に使用されている。チオ硫酸ナトリウムの適切な使用量は、珪酸ナトリウム１００重量部に対して１０−５〜１０−４重量部であるが、この範囲を外れる場合には、動物に適用するとき、組織中のＣａを沈降させて動物を興奮させ下痢を誘発する。
【００１０】
本発明の組成物のうち、炭酸カリウムは水によく溶け、水溶液はｐＨ１１．６程度の強アルカリ性である。カリウムは、ナトリウムとともに生体に必須的な元素で、新陳代謝及び血液循環促進に必要な元素である。また、生体内でカリウムとナトリウム成分が調和をなすと、高血圧と糖尿病を効果的に予防することができる。その適切な使用量は、メタ珪酸ナトリウム１００重量部に対して３０〜１５０重量部である。上記範囲を外れる場合、動植物に適用するとき、ナトリウム／カリウムの均衡が破れるおそれがある。
【００１１】
本発明の組成物のうち、精製白糖は溶解されてイオン化された無機物質が再結合することを防止して組成物を安定化させるとともに、使用された無機物質の性質を有機物質と類似した有機型物質に変換させる役割と、最終組成物の吸着又は付着性能を向上させる役割を果たす。この効能が発揮される適切な使用量は、メタ珪酸ナトリウム１００重量部に対して３０〜２００重量部である。
【００１２】
本発明の組成物に選択的に添加できる物質のうち、塩化ナトリウムはナトリウム／カリウムの比を調節するためのナトリウムの供給源としての役割を果たす。
チオ硫酸銀は、植物で生成されるエチレン剤の抑制剤又は植物の分化促進剤として主に使用されており、チオ硫酸イオンが含有された水溶液において、Ｓ２Ｏ３２−の濃度が低い場合には［Ａｇ（Ｓ２Ｏ３２−）２］３−、Ｓ２Ｏ３２−の濃度が高い場合には［Ａｇ２（Ｓ２Ｏ３２−）６］１０−の多価陰イオンを形成させる特性がある。
本発明でチオ硫酸銀は、チオ硫酸ナトリウムとともに使用されて多価陰イオンを形成させるとともに、細胞の分化を促進させる役割を果たす。モリブデン酸ナトリウムは、動植物に欠乏しやすい微量元素であるモリブデンを供給する役割を果たす。その使用量は、微量で、みんなメタ珪酸ナトリウム１００重量部に対して１０−１重量部以内である。
【００１３】
上記のような本発明の組成物は、完全に溶解された後、無臭、無毒性の薄黄色を呈する液体で、比重は１．４３〜１．５０、粘度６１．０〜２３９．０、ｐＨ１３程度の非常に安定的な組成物であり、特異な点は塩酸（ＨＣｌ）で中和させてもめったに凝固されるかｐＨの変化が起こることがないという点である。
本発明者らは、長期間にわたる実験結果、上記のような構成の本発明の組成物は家畜にやる場合、増体率が向上し、作物に与える場合、収穫量が増加し、特に動植物に適用する場合、ＮＩＳとしての効能が卓越したことを明かした。
上記組成物を直接飼料又は水に添加して投与するか、飼料添加し発酵させて家畜にやることにより、卓越した免疫増強効果を得ることができる。その例として、養豚産業に莫大な損失をもたらす豚流行性下痢（ｐｏｒｃｉｎｅ ｅｐｉｄｅｍｉｃ ｄｉａｒｒｈｅａ；ＰＥＤ）又は豚コレラを効果的に予防することができ、高い死亡率により養鶏産業に莫大な損失をきたす家禽のチフス（ｆｏｗｌ ｔｙｐｈｏｉｄ）にも予防及び治療の効果があるのが確認され、乳牛の場合においても品質等級を決定する指標の一つである牛乳中の体細胞数を減少させることができる。また、家畜の成長を促進させることができ、肉質を向上させることができるだけでなく、畜舎内の悪臭除去にも効果的である。
肥料又は水に添加して植物に適用する場合にも、発芽及び成長促進、耐病性向上、生産量増加、収穫物の品質向上などの優れた効果を収めることができる。
本発明の実施例を次に示す。
【００１４】
（製造実施例１）
メタ珪酸ナトリウム（５水塩）３００Ｋｇ、硼砂（１０水塩）３５Ｋｇ、チオ硫酸ナトリウム０．０１Ｋｇ、塩化ナトリウム１Ｋｇ、炭酸カリウム１５０Ｋｇを６０〜８０℃の精製水５００Ｋｇに順次投入しながら３時間撹拌して溶解させた後、精製白糖４５０Ｋｇを投入し４時間にわたって連続的に撹拌してｐＨ１３程度のアルカリ性溶液（以下、この溶液を“ＢＡＲＯＤＯＮ−１”という）を得た。
【００１５】
（製造実施例２）
製造実施例１によって得られた溶液“ＢＡＲＯＤＯＮ−１”１４３６Ｋｇに、０．０２Ｋｇのチオ硫酸銀が水１Ｌ（リットル）に溶解された溶液を滴加して撹拌した後、約５０℃の温度の反応器で４時間維持して、チオ硫酸銀の添加されたアルカリ性溶液（以下、この溶液を“ＢＡＲＯＤＯＮ−２”という）を得た。
【００１６】
（製造実施例３）
１００℃の精製水５Ｌにモリブデン酸ナトリウム（Ｎａ２ＭｏＯ４２Ｈ２Ｏ）０．３Ｋｇを撹拌しながら投入して、無色、無臭の水溶液を収得し、この水溶液を“ＢＡＲＯＤＯＮ−１”に滴加して撹拌した後、約５０℃の温度の反応器で４時間維持して、モリブデン酸ナトリウムの添加されたアルカリ性溶液（以下、この溶液を“ＢＡＲＯＤＯＮ−３”という）を得た。
【００１７】
（製造実施例４）
製造実施例１と同様に実施するが、硼砂の使用量を６Ｋｇに、炭酸カリウムを３００Ｋｇに変化させて得たアルカリ性溶液１５５７Ｋｇに、０．０２Ｋｇのチオ硫酸銀が水１Ｌに溶解された溶液を滴加し撹拌した後、約５０℃の温度の反応器に４時間維持して、チオ硫酸銀の添加されたアルカリ性溶液（以下、この溶液を“ＢＡＲＯＤＯＮ−４”という）を得た。
【００１８】
（製造実施例５）
製造実施例４と同様に実施するが、精製白糖の使用量を１５０Ｋｇに変化させて、相対的に粘性の低いアルカリ性溶液（以下、この溶液を“ＢＡＲＯＤＯＮ−５”という）を得た。
【実施例１】
【００１９】
＊稲栽培耕作実験
韓国京畿道寶蓋面泥田里と韓国京畿道安城市大徳面明党里に位置する水田で稲を対象として製造実施例で得られた各溶液の“ＢＡＲＯＤＯＮ−１”、“ＢＡＲＯＤＯＮ−２” 、“ＢＡＲＯＤＯＮ−３”、“ＢＡＲＯＤＯＮ−４”“ＢＡＲＯＤＯＮ−５”の免疫増進効果と生育促進効果をテストした。
テスト方法は、上記“ＢＡＲＯＤＯＮ−１”〜“ＢＡＲＯＤＯＮ−５”を１０倍の水に希釈した後、これを５００倍の水に希釈した液に、種籾を２４時間浸漬してから苗板に入れ、田植の２日前、上記希釈液を幼い苗に通常の農薬散布のような方法で散布した。そして、稲の出穂の２週前にもう一度希釈液を散布した。
実験結果、本発明の組成物を処理しなかった対照群に比べて実験群は苗板で幼い苗が均等で丈夫に成長し、冷害の発生もなかったし、田植から３日後に活着が済んだ。
また、立枯病、稲熱病及び紋枯病（ｓｈｅａｔｈ ｂｌｉｇｈｔ）の発生が殆どなく、耐倒伏性が向上して、台風後にも倒伏が殆どなかった。対照群の場合は約２５％程度が台風に倒伏された。
段歩（３００坪）当たり稲生産量は下記表１に示す。
【００２０】
【表１】
2008001714.tif 000003
【実施例２】
【００２１】
＊稲栽培耕作実験
梨木耕作地に蓄糞及び有機質堆肥を施肥した後、“ＢＡＲＯＤＯＮ −３”
を水で１０倍に希釈した後、さらに５００倍に希釈液を噴霧した後、ロータリーを設置した。梨花が開花する約２週前である四月初旬“ＢＡＲＯＤＯＮ −２”を１回散布した。その結果、この溶液で処理しなかった対照群に比べて約４〜５日だけ早い４月１８日開花し、収穫日は９月１５日で、対照群に比べて約１５日程度早かった。収穫された梨は、シンゴ梨で、外観、大きさ、糖度などに優れて最高等級の判定を受けた。
すなわち、外観において、シンゴ梨の問題点である黒い斑点が６０％以上消
え、凸凹した梨の外形が丸くてきれいになり、中空梨は全然発生しなく、台風による落花率は約２０％程度減少し、大きさは対照群に比べて約１５％程度増加し、糖度は１３．０〜１５．０ＢＸで対照群に比べて約１２％程度増加した。貯蔵性も対照群に比べて著しく増加した。
【実施例３】
【００２２】
＊生育状態実験
“ＢＡＲＯＤＯＮ −３”を水で１６倍に希釈した液を下記の表２のような希
釈倍率に希釈して試験作物の葉面に散布した結果、背（ｃｍ）は１５．６％、葉幅（ｃｍ）は８．７％、群葉生体重（ｇ／ｐｏｔ）は７〜４７％の増加率を示した。
【００２３】
【表２】
2008001714.tif 000004
【００２４】
（製造実施例６）
製造実施例２で得た“ＢＡＲＯＤＯＮ −２”を水で１０倍に希釈させた後、この溶液を配合飼料１トン当たり５００ｇ スプレー噴射して高機能性飼料（以下、この資料を“ＢＡＲＯＤＯＮ −６”という）を製造した。
【００２５】
（製造実施例７）
製造実施例２で得た“ＢＡＲＯＤＯＮ −２”を水で１０倍に希釈させた
溶液１０リットルと精製白糖３Ｋｇ、塩化ナトリウム１Ｋｇ、水７５Ｌを配合
飼料１トンに添加し発酵器に入れ混合撹拌しながら２４時間発酵させて高機能性飼料（以下、この資料を“ＢＡＲＯＤＯＮ −７”という）を製造した。
【実施例４】
【００２６】
“ＢＡＲＯＤＯＮ”の動物に対する増体効果及び免疫増強効果を確認するため、下記のような実験を実施した。
（１）増体効果実験（豚）
健康な１５週齢（１０４±４日）の３元交雑種（Ｙｏｒｋｓｈｉｒｅ×Ｌａｎｄｒａｃｅ×Ｄｕｒｒｏｃ）である去勢肥肉豚３０頭を試験動物として選抜した。試験群は３群に区分し、大きさが横４ｍ×縦４．２ｍである三つの豚舎に１０頭ずつ配置し、１週間適応させた後、試験を開始した。
対照群、Ｔｘ−１群、及びＴｘ−２群にそれぞれ１０頭ずつ割り当てた。Ｔｘ−１群は製造実施例６で得た“ＢＡＲＯＤＯＮ −６”を、Ｔｘ−２群は製造実施例７で得た“ＢＡＲＯＤＯＮ −７”を３％添加した飼料を、対照群は“ＢＡＲＯＤＯＮ”が添加されていない同一飼料をそれぞれ９週間給与した後、３試験群共に一般飼料を給与した。試験期間に水と飼料は自由に摂取できるようにし、各群当たり１０頭ずつ６週間の増体量、飼料摂取量及び飼料効率を測定した結果、１日増体量は対照群が８４２．８６ｇであるに対し、Ｔｘ−１群は８９０．４８ｇで対照群に比べて５．６５％増加し、Ｔｘ−２群は８８０．９５ｇで対照群に比べて４．５２％増加した。
飼料摂取量は、対照群の場合２．７１Ｋｇ、Ｔｘ−１群は２．７７Ｋｇ、Ｔｘ−２群は２．６５Ｋｇを摂取し、飼料効率（飼料摂取量／増体量）は、対照群が３．２２であるに対し、Ｔｘ−１群は３．１１で３．５４％改善され、Ｔｘ−２群は３．０１で６．９８％改善された。
【００２７】
（２）肉質官能検査
上記試験群の肉質を健康な成人男女に試食させた後、官能評価した結果は次の表３に示す。
【表３】
2008001714.tif 000005
・  数字は試食会参加後、設問に応答した人の数である。
【００２８】
（３）豚の抹消血液の免疫細胞分布検査
対照群とＴｘ−１群及びＴｘ−２群の豚白血球表面特異単クロン抗体と蛍光細胞流出装置（ｆｌｏｗ ｃｙｔｏｍｅｔｅｒ、ＦＡＣＳＣａｌｉｂｕｒ、Ｂｅｃｔｏｎ Ｄｉｃｋｉｎｓｏｎ Ｉｍｍｕｎｏｃｙｔｏｍｅｔｒｙ Ｓｙｓｔｅｍ、 Ｓａｎ Ｊｏｓｅ、 ＣＡ．、 Ｕ．Ｓ．Ａ．）を用いて時期別に豚抹消血液内免疫細胞である主組織集合体（ｍａｊｏｒ ｈｉｓｔｏｃｏｍｐａｔｉｂｉｌｉｔｙ ｃｏｍｐｌｅｘ；ＨＭＣ）発現細胞とリンパ球亜集団分布率に対する変化を検査した。
【００２９】
（３−１）抹消血液から白血球分離
豚の前大静脈から採血した血液をＡＣＤ（ａｃｉｄ ｃｉｔｒａｔｅ ｄｅｘｔｒｏｓｅ）−ＥＤＴＡ（ｅｔｈｌｅｎｅｄｉａｍｉｎｅ ｔｅｔｒａａｃｅｔｉｃ ａｃｉｄ）の添加された試験管に混合してよく混ぜ合わせた後、Ｈｙｐａｑｕｅ Ｆｉｃｏｌｌ （Ｈｉｓｔｏｐａｑｕｅ， Ｓｉｇｍａ， Ｓｔ． Ｌｏｕｉｓ， Ｍｏ．， Ｕ．Ｓ．Ａ．）に重層し、１，５００ｒｐｍで３０分間遠心分離した後、白血球を採集した。これを燐酸緩衝整理食塩水（ｐｈｏｓｐｈａｔｅ ｂｕｆｆｅｒｅｄ ｓａｌｉｎｅ；ＰＢＳ、 ｐＨ ７．２）で３回洗浄した後、ＲＰＭＩ−１６４０ 培地（ＧｉｂｃｏＢＲＬ、 Ｇｒａｎｄ Ｉｓｌａｎｄ、 ＮＹ、 Ｕ．Ｓ．Ａ．）に浮遊させた後、トリファンブルー排除法（ｔｒｙｐｈａｎ ｂｌｕｅ ｅｘｃｌｕｓｉｏｎ ｔｅｃｈｎｉｑｕｅ）により生存細胞数を測定して、最終濃度が１×１０７個／ｍｌとなるように検査に用いた。
【００３０】
（３−２）白血球亜集団検査用単クロン抗体
豚の成長時期別免疫学的特性を検査するため、白血球の細胞表面抗原（ｃｅｌｌ ｓｕｒｆａｃｅ ｍｏｌｅｃｕｌｅｓ）であるＭＨＣ ｃｌａｓｓ Ｉ、ＭＨＣ ｃｌａｓｓ ＩＩ、Ｐｏ（ｐｏｒｃｉｎｅ）ＣＤ２、ＰｏＣＤ４、ＰｏＣＤ８、ｓｕｒｆａｃｅ ＩｇＭ （ｓＩｇＭ）、Ｎｏｎ Ｔ／Ｎｏｎ Ｂ （γδＴＣＲ）及び顆粒球と単球（Ｇ＋Ｍ）（ｇｒａｎｕｌｏｃｙｔｅ及びｍｏｎｏｃｙｔｅ（Ｇ ＋ Ｍ））に対する特異な白血球表面単クロン抗体（ｍｏｎｏｃｌｏｎａｌ ａｎｔｉｂｏｄｙ；ＭＡｂ）など総９種を使用した（表４）。
【表４】
2008001714.tif 000006
＊Ｍａｂ；特に白血球分化と反応性の単クローン抗体
＊＊Ｍｏｌｅｃｕｌｅｓ；豚の白血球分化分子
＊＊＊Ｃｅｌｌ ｔｙｐｅ；分子を表すセル
【００３１】
（３−３）蛍光細胞流出装置分析
白血球亜群別分布率の分析はＤａｖｉｓなど（１９９０）の方法に準じてｆ
ｌｏｗ ｃｙｔｏｍｅｔｒｙ ＣｅｌｌＱｕｅｓｔプログラムで実施した。レーザービームを用いる蛍光細胞流出装置による検査のため、細胞は１種又は２種の蛍光色素（ｆｌｕｏｒｅｓｃｅｉｎ ｉｓｏｔｈｉｏｃｙａｎａｔｅ；ＦＩＴＣ、ｐｈｙｃｏｅｒｙｔｈｒｉｎ；ＰＥ）を用いて間接法で標識される。Ｖ−ｂｏｔｔｏｍ ９６−ｗｅｌｌ ｍｉｃｒｏｐｌａｔｅの１ウェル当たり単クロン抗体５０μｌ（１５μｇ／ｍｌ）と血液から分離した１×１０７／ｍｌの白血球１００μｌを添加した後、４℃で３０分間感作させた後、４℃の第１洗浄バッファ（ｆｉｒｓｔ ｗａｓｈｉｎｇ ｂｕｆｆｅｒ ［ＰＢＳ ４５０ ｍｌ、ＡＣＤ ５０ ｍｌ、２０％ ＮａＮ３ ５ ｍｌ、ｇａｍｍａ ｇｌｏｂｕｌｉｎ ｆｒｅｅ ｈｏｒｓｅ ｓｅｒｕｍ （ＧｉｂｃｏＢＲＬ） １０ ｍｌ、２５０ ｍＭ ＥＤＴＡ ２０ ｍｌ、０．５ ％ ｐｈｅｎｏｌ ｒｅｄ １ ｍｌ］）で３回遠心（１，７００ｒｐｍ、３分）、洗浄した後、上澄液を捨て、下部に集まった白血球のペレットをプレートミキサ又はボルテックスミキサ（Ｓｃｉｅｎｔｉｆｉｃ Ｉｎｄｕｓｔｒｉｅｓ， Ｂｏｈｅｍｉａ， ＮＹ．， Ｕ．Ｓ．Ａ．）で浮遊させた。
単一染色試験においては、２次抗体としてＦＩＴＣ−ｃｏｎｊｕｇａｔｅｄ ｇｏａｔ ａｎｔｉ−ｍｏｕｓｅ ＩｇＧ＋ＩｇＭ ａｎｔｉｂｏｄｙ （Ｃａｌｔａｇ Ｌａｂ， Ｕ．Ｓ．Ａ．）を２００倍希釈した後、浮遊された白血球が入っている各ウェル（ｗｅｌｌ）に１００μｌずつ添加した。これをさらに４℃で３０分間感作させた後、第１洗浄バッファ成分からウマ血清（ｈｏｒｓｅ ｓｅｒｕｍ）のみを除去した４℃の第２洗浄バッファで３回遠心洗浄し、次いで２％ＰＢＳ−ｆｏｒｍａｌｉｎ （３８％ ｆｏｒｍａｌｉｎ ２０ ｍｌ， ＰＢＳ ９８０ ｍｌ）溶液をウェル当たり２００μｌとなるように加えて固定させた。
二重染色試験においては、ＰｏＣＤ４ （ＦＩＴＣ）と ＰｏＣＤ８ （ＰＥ）， ＰｏＣＤ４ （ＦＩＴＣ）と ＭＨＣ ｃｌａｓｓ ＩＩ （ＰＥ）， ＰｏＣＤ８（ＦＩＴＣ）と ＭＨＣ ｃｌａｓｓ ＩＩ （ＰＥ）をそれぞれ一対にして染色した。すなわち、白血球を二つの単クロン抗体と混ぜ合わせた後、単一染色に準じて１次感作させ、４℃の第１洗浄バッファで３回洗浄した。この後、それぞれの単クロン抗体のアイソタイプに特異性がある塩素由来抗体を、ＦＩＴＣ共役である場合はウェル当たり１．０μｇ、ＰＥ共役である場合はウェル当たり０．１μｇの濃度に希釈して入れ、４℃で３０分間反応させた。次の洗浄と固定過程は単一染色と同じ方法で行った。
染色の済んだ細胞は、検査時まで４℃の冷暗所に保管した。染色の済んだ材料はフローサイトメトリーにより総２，０００個以上の細胞を検査して陽性細胞数を測定し、測定と資料分析はＦＡＣＳｃａｌｉｂｕｒ及び ＣｅｌｌＱｕｅｓｔ ｐｒｏｇｒａｍ （Ｂｅｃｔｏｎ Ｄｉｃｋｉｎｓｏｎ）で行った。
検査結果、Ｔｘ−１群及びＴｘ−２群のＣＤ４＋Ｔリンパ球の比率が投与後３週経過から増加し始め投与後８週頃に対照群に比べて有意に高い結果を示した（ｐ＜０．０５）。特に、Ｔｘ−１群の場合、図１に示すように、投与後８週から１３週にわたって高い水準を維持した（ｐ＜０．０５）。
【００３２】
ＣＤ８＋Ｔリンパ球の場合、投与後３週頃にＴｘ−２群で高い比率を示した
が（ｐ＜０．０１）、投与後８週頃からは有意な違いを示さなかった。マクロファージ（ｍａｃｒｏｐｈａｇｅ）が大部分であるＭＨＣ ｃｌａｓｓ ２発現細胞の場合、Ｔｘ−１群では投与後１１週に有意に高い結果を示し（ｐ＜０．０５）、Ｔｘ−２群では投与後８週に有意に高い比率を示した（図２）。
また、Ｎｏｎ Ｔ／Ｎｏｎ Ｂ（Ｎリンパ球）の比率も対照群に比べＴｘ−２群で投与３週経過から高い比率を示して（ｐ＜０．０１）非特異免疫の防御反応と特異免疫防御反応共に亢進される可能性を示し、投与後１１週から１３週まで多少高い水準に維持された（ｐ＜０．０１）（図３）。
“ＢＡＲＯＤＯＮ”投与群では、Ｔｘ−２群でのＭＨＣ−ｃｌａｓｓ ２発現細胞の増加比率がＴｘ−１群に比べ３週ないし８週まで著しく（ｐ＜０．０５）（図２）、ＣＤ４、ＣＤ８発現細胞の比率も投与３週頃にＴｘ−２群が多少高く（ｐ＜０．１）（図１、図４）、Ｔｘ−１群とＴｘ−２群間のＮｏｎ Ｔ／Ｎｏｎ Ｂリンパ球の比率は投与１３週頃に有意な違いを示した（ｐ＜０．１）（図３）。
【００３３】
（４）血液及びリンパ節リンパ球活性力試験
血液及びリンパ節リンパ球活性力を測定するため、Ｃｏｎ Ａ、ＰＨＡ、ＰＷ
Ｍ及びＬＰＳを用いて刺激させた後、放射性同位元素（ｒａｄｉｏｉｓｏｔｏｐｅ）［３Ｈ］−チミジン（ｔｈｙｍｉｄｉｎｅ）を添加した後、増殖性を確認した。血液から分離したリンパ球を対象としてＰＷＭで刺激した場合、“ＢＡＲＯＤＯＮ”添加飼料投与後８週経過時、Ｔｘ−２群で対照群に比べて有意に高い刺激指数（ｓｔｉｍｕｌａｔｉｏｎ ｉｎｄｅｘ；ＳＩ）を示し（ｐ＜０．０５）、１１週経過後にはＴｘ−１群とＴｘ−２群共にＣｏｎ Ａを始めとするＰＨＡ、ＰＷＭ、ＬＰＳの刺激によるリンパ球増殖性が対照群に比べて有意に高いＳＩを示した（ｐ＜０．０１）。
腸間膜リンパ節リンパ球を用いるリンパ球の増殖性分析においては、投与後８週からＰＨＡ（Ｐ＜０．０５）とＰＷＭ（ｐ＜０．０１）の刺激のとき、対照群に比べて有意に高いＳＩを示し、１１週経過ではＴｘ−１群はＣｏｎ ＡとＰＨＡによるリンパ球増殖が対照群に比べて高い有意な違い（ｐ＜０．０１）が認められ、Ｔｘ−２群の場合、Ｃｏｎ Ａ、ＰＨＡ及びＰＷＭの刺激時、対照群に比べて有意に高い（ｐ＜０．０５）ＳＩ値を示した（図５及び図６）。
【００３４】
（５）免疫組織化学法によるリンパ節及び脾臓のＣＤ４＋ＣＤ８＋Ｔリンパ球亜集団分布調査
ＡＢＣ法で免疫染色し画像分析器（ｉｍａｇｅ ａｎａｌｙｚｅｒ （Ｏｙｍ
ｐｕｓ， Ｕ．Ｓ．Ａ．））で腸間膜リンパ節と脾臓での ＣＤ４＋、 ＣＤ８＋、及び ＣＤ４＋ＣＤ８＋ ｄｐｐ Ｔリンパ球の数を確認した結果、脾臓では、ＣＤ４＋はＴｘ−２群でだけ、ＣＤ８＋、及び ＣＤ４＋ＣＤ８＋ ｄｐｐ Ｔリンパ球はＴｘ−１群、Ｔｘ−２群で共に有意に増加し（ｐ＜０．００１）（表５）、腸間膜リンパ節では、Ｔｘ−１群、Ｔｘ−２群共にＣＤ４＋、 ＣＤ８＋、及び ＣＤ４＋ＣＤ８＋ ｄｐｐ Ｔリンパ球の数が有意に増加したことを確認することができた（ｐ＜０．０１）（表６）。特に、Ｔｘ−２群がＴｘ−１群に比べて有意に高い分布を示した（ｐ＜０．０１）。
【００３５】
【表５】
2008001714.tif 000007
【００３６】
【表６】
2008001714.tif 000008
【００３７】
（６）豚コレラワクチン接種による抗体形成能後進効果試験
豚コレラワクチンの接種後、“ＢＡＲＯＤＯＮ”含有飼料を給与した群（Ｔ
ｘ−１、Ｔｘ−２）と対照群間の豚コレラ抗体形成能をＩＦＡ ｔｅｓｔで試験した結果、“ＢＡＲＯＤＯＮ”投与３週経過後から試験群が対照群に比べて段々増加し始め、投与後１１週頃に試験群が対照群に比べて高い抗体価を示し、特にＴｘ−１群での有意に高い抗体価を示した（ｐ＜０．０１）（図７）。
【００３８】
（７）家禽のチフスにかかった鶏群に対する非抗生剤投与効果の試験
家禽チフスに感染された家禽チフスの鶏群１０，０００羽に、製造実施例７で得た“ＢＡＲＯＤＯＮ −７”を飼料に５重量％混合した飼料を１０週間給与させた結果は下記の表７に示す。この期間中に抗生剤は一切投与しなかった。試験群は試験開始１５週まで平均０．３％程度の廃死率を維持したが、対照群１０，０００羽は試験開始４週後に殆どが廃死した。
【００３９】
【表７】
2008001714.tif 000009
＠各鶏群共に１０，０００羽の規模
【００４０】
（８）乳房炎乳牛の体細胞減少効果試験
準臨床型乳房炎乳牛に対する体細胞減少効果を確認するため、製造実施例７で得た“ＢＡＲＯＤＯＮ −７”を５重量％混合した飼料を２ヶ月間給与した結果は下記の表８に示す。下記表の“液剤”は、“ＢＡＲＯＤＯＮ −２”の１００倍希釈液で消毒したタオルで乳牛の乳房を洗浄処理したものを意味し、“水に希釈”とは乳牛が飲む水に“ＢＡＲＯＤＯＮ −２”の２００倍希釈させて飲ませるようにしたものを意味する。“ｑ”は乳房の数を示す。
【００４１】
【表８】
2008001714.tif 000010
【００４２】
また、乳房炎の主原因菌に対する減少効果は下記の表９に示す。
【表９】
2008001714.tif 000011
【実施例５】
【００４３】
製造実施例５で製造された“ＢＡＲＯＤＯＮ −５”の人体の免疫増進に及
ぶ効果を確認するため、“ＢＡＲＯＤＯＮ −５”の原液を水に１００倍希釈した溶液を紙にスプレー噴射してから乾燥させた後、印刷した子供用教科書を日本、大阪市に位置する日本遠赤外線応用研究会に依頼してＱＲＳ波動測定を行った結果を下記の表１０に示す。ＱＲＳ波動数値は１０，００〜２０，００である場合、人体に及ぶ効果が最上である。
【００４４】
【表１０】
2008001714.tif 000012
【実施例６】
【００４５】
＊毒性試験
“ＢＡＲＯＤＯＮ”の毒性を試験するため、“ＢＡＲＯＤＯＮ −４”を１
０倍希釈した液を韓国化学研究所安定性研究センターに依頼し、ラットを用いる急性毒性試験（試験番号：Ｓ−７００）を実施した。試験方法は、国立保健安全研究院第９４−３号の“医薬品などの毒性試験基準（１９９４年４月１４日）”と保健社会部告示第８７−８０号の“医薬品安全性試験管理基準（ＫＧＬＰ、１９８７年１０月２９日）”に準じて実施した。
試験結果、雌雄の動物において、試験物質の投与に起因する死亡動物、一般症状、体重変化及び剖検所見は観察されなく、試験物質のＬＤ５０値は雌雄共に５，０００ｍｇ／ｋｇを上回ると報告された。
このような結果は、本発明の組成物を人体に適用する場合にも毒性を表さないことを意味する。
【実施例７】
【００４６】
＊突然変異誘発性試験
“ＢＡＲＯＤＯＮ”の突然変異誘発性を試験するため、“ＢＡＲＯＤＯＮ −４”を１０倍希釈した液を韓国化学研究所安定性研究センターに依頼し、サルモネラ菌（Ｓａｌｍｏｎｅｌｌａ ｔｙｐｈｉｍｕｒｉｕｍ）のヒスチジン要求性ＴＡ１００とＴＡ１５３５（塩基対置換型）及びＴＡ９８とＴＡ１５３７（ｆｒａｍｅ ｓｈｉｆｔ型）を用いる復帰突然変異試験（試験番号：Ｓ−６９４）を実施した。
試験方法は、国立保健安全研究院第９４−３号の“医薬品などの毒性試験基
準（１９９４年４月１４日）”と保健社会部告示第８７−８０号の“医薬品安全性試験管理基準（ＫＧＬＰ、１９８７年１０月２９日）”に準じて実施した。
試験結果、４個の試験菌株から共に陰性の結果が得られ、よって試験物質は試験菌株に対してＨｉｓ−⇒Ｈｉｓ＋の復帰突然変異を誘発しないものと報告された。このような結果は、本発明の組成物を人体に適用する場合にも安全であることを意味する。
【実施例８】
【００４７】
＊受精卵の細胞増殖誘発効果試験
牛卵巣から回収した未成熟卵巣を２４時間体外成熟させ、２０時間体外受精
させた後、製造実施例４により製造された“ＢＡＲＯＤＯＮ −４”を１０倍希釈した液をさらに５００倍、２００倍、１００倍及び５０倍に希釈した培養液に入れ、対照区と一緒に９日間培養した。また、屠畜場で回収した牛受卵管と卵巣から卵管上皮細胞（ＢＯＥＣ）、顆粒膜細胞（ＧＣ）を採取し上記培養液で３世代まで体外培養した。細胞数は血球計算板（ｈｅｍｏｃｙｔｏｍｅｔｅｒ）で測定した。
培養結果、体外受精卵の卵割率は、それぞれ（６０．０％）、６２．４％（５００倍希釈液）、６６．３％（２００倍希釈液）、７３．７％（１００倍希釈液）及び７４．０％（５０倍希釈）であり、胚盤胞胚の発生率はそれぞれ１３．３％（対照区）、２０．０％（５００倍希釈液）、２１．３％（２００倍希釈液）、１８．４％（１００倍希釈液）及び１１．０％（５０倍希釈液）であった。卵状上皮細胞の数は２．０×１０５（対照区）、２．４×１０５（５００倍希釈液）、２．５×１０５（２００倍希釈液）、２．６×１０５（１００倍希釈液）及び２．５×１０５（５０倍希釈液）であり、顆粒膜細胞の数はそれぞれ３．２×１０５（対照区）、３．９×１０５（５００培希釈液）、３．７×１０５（２００倍希釈液）、２．７×１０５（１００倍希釈液）及び２．８×１０５（５０倍希釈液）であった。
以上の結果から、卵状上皮細胞、顆粒膜細胞培養と受精卵の培養において、本発明の組成物は細胞増殖と受精卵の胚盤胞胚の増殖及び発達に影響を及ぼし、そのうち、５００倍と２００倍に希釈したとき、受精卵に対する胚盤胞胚の増殖率が５０．４〜６０．２％に大きく増加したことがわかった。
【実施例９】
【００４８】
＊抗癌効果試験
“ＢＡＲＯＤＯＮ −４”を６００〜９００倍に希釈して４種の腫瘍（癌）
細胞に対する抗癌効果を試験した。
米国、メリーランド、ロックビルにあるＡｍｅｒｉｃａｎ Ｔｙｐｅ Ｃｕｌｔｕｒｅ Ｃｏｌｌｅｃｔｉｏｎから人体白血病の白血球（Ｊｕｒｋａｔ）、人間肺の癌細胞（ＮＣｌ−Ｈ６９）、人体甲状腺癌細胞（ＳＷ５７９）及び人間の骨髄肉腫（ｏｓｔｅｏｇｅｎｉｃ ｓａｒｃｏｍａ（Ｕ−２ ＯＳ））を求めた。“ＢＡＲＯＤＯＮ−４”をそれぞれ１／６００、１／７００、１／８００及び１／９００の比率で希釈し、この腫瘍細胞を培養し、この細胞が副培養（ｓｕｂｃｕｌｔｕｒｅ）される都度、細胞を検査し、その増加率を計算した。各経過の生細胞を計算するにはトリファンブルー（ｔｒｙｐｈａｎ ｂｌｕｅ）染色方法が使用された。
本格的な実験に先立ち、一般細胞を上記希釈液に培養した結果は下記の表１１に示す。これから、上記希釈液は繊維芽細胞（ｆｉｂｒｏｂｌａｓｔ）の生長率を抑制することも成長に影響を及ぼすこともなく、ハムスターの腎臓細胞の増殖も防がなかったことがわかる。
【００４９】
【表１１】
2008001714.tif 000013
＊０．４％トリファンブルー染料で試験して顕微鏡で測定した。
【００５０】
上記４種の癌細胞を上記希釈液に培養した結果を下記の表１２に示す。
これから、本発明の組成物は人体腫瘍細胞を除去しながらも正常細胞を害しないことがわかる。
したがって、本発明の組成物は人体腫瘍の数種類を治療するに有用に使用でき、その効果は腫瘍の種類によって違う。
【００５１】
【表１２】
2008001714.tif 000014
＊０．４％トリファンブルー染料で試験して顕微鏡で測定した。
【実施例１０】
【００５２】
＊新鮮度維持効果試験
新鮮度の良好な生魚（鱈）をドライアイスで急速凍結させた後、実験室に運搬
し、“ＢＡＲＯＤＯＮ −２”０．０５、０．１、０．２及び０．５％濃度の溶液に１０分間浸漬し、０℃で７日間貯蔵した各魚類の新鮮度を調査した。
魚類の鮮度指標として、蛋白質の変成を示す筋肉のＣａ−ＡＴＰａｓｅ活性を測定する方法を使用した。結果は、０．５％溶液に浸漬した群の鮮度維持効果が最も優秀であり、５日間最初の鮮度がそのまま維持された（図８）。
【実施例１１】
【００５３】
＊“ＢＡＲＯＤＯＮ”の水活性化効果試験
製造実施例５で得た“ＢＡＲＯＤＯＮ −５”を水に１：２８００及び１：
５６００の比率で希釈した希釈液に対するＨ２Ｏの１７Ｏ−ＮＭＲ測定試験を実施した。使用装置は日本ウォーターサイエンス研究会で所蔵しているＪＮＭ−ＥＸ２７０であり、測定温度は２０℃であった。対照区である水道水の１７Ｏ吸収波長帯は１４９．６Ｈｚ（半値幅）であったが（図９）、１／２８００希釈液では５３．６Ｈｚであり（図１０）、１／５６００希釈液では５４．７Ｈｚであった（図１１）。
上記結果は、水道水は水分子間の結合単位が大きいか小さい種々の集合体である非晶質状であり、本発明の組成物が添加された希釈液は、水分子が結合単位において最小の結合数で一定に結合された結晶状に近い形態であることを示すものである。水分子の結合数が小さいとは流動性と生体浸透性に優れ、活性化されたことを意味する。活性化された水は、人間と動植物の生育に効果的に適用できるので、本発明の組成物は飲用水添加剤、廃水処理剤として有用に使用できる。
【実施例１２】
【００５４】
＊ｐＨ測定及び中和滴定時の挙動試験
製造実施例４で得た“ＢＡＲＯＤＯＮ −４”の原液のｐＨを測定した結果、
１３．２０の強アルカリ性であった。これを０．１Ｎ塩酸で中和滴定を行った結果、接触部分で凝固が進行し、相当量の塩酸を添加しても溶液のｐＨの変化がなかった。これは、本発明の組成物が十分にイオン化されて反応性が高いことを意味するものである。
上記原液を１，０００倍希釈して０．１Ｎ ＨＣｌで中和滴定を行いながら顕微鏡で観察した結果、凝固物と気泡の発生が観察されなかった。しかし、この場合はｐＨが調節された。
上記結果は、適正量を使用する場合、人間又は家畜が摂取した後、胃内で塩酸と反応して沈澱物が生成しないことと、塩酸と反応して気泡を発生させないので、過量摂取するときにもガスの発生による問題発生のおそれがないことを意味する。
【図面の簡単な説明】
【００５５】
【図１】試験群及び対照群豚のＣＤ４＋Ｔリンパ球の比率変化を示すグラフである。
【図２】試験群及び対照群豚のＭＨＣ ｃｌａｓｓ ２発現細胞の比率変化を示すグラフである。
【図３】試験群及び対照群豚のＮｏｎ Ｔ／Ｎｏｎ Ｂ（Ｎリンパ球）の比率変化を示すグラフである。
【図４】試験群及び対照群豚のＣＤ８＋Ｔリンパ球の比率変化を示すグラフである。
【図５】試験群及び対照群豚の血液から分離したリンパ球のＣｏｎ Ａ、ＰＨＡ、ＰＷＭ、ＬＰＳの刺激によるリンパ球の増殖性を示すグラフである。
【図６】試験群及び対照群豚の腸間膜リンパ節リンパ球のＣｏｎ Ａ、ＰＨＡ、ＰＷＭ、ＬＰＳの刺激によるリンパ球増殖性を示すグラフである。
【図７】試験群及び対照群豚の豚コレラ抗体形成能を示すグラフである。
【図８】試験群及び対照群鱈のＣａ−ＡＴＰａｓｅ活性変化を示すグラフである。
【図９】水道水の１７Ｏ吸収波長帯を示すＮＭＲ測定結果を示すグラフである。
【図１０】本発明の組成物が添加された水の１７Ｏ吸収波長帯を示すＮＭＲ測定結果を示すグラフである。
【図１１】本発明の組成物が添加された水の１７Ｏ吸収波長帯を示すほかのＮＭＲ測定結果を示すグラフである。
【図１】
2008001714.tif 000015
【図２】
2008001714.tif 000016
【図３】
2008001714.tif 000017
【図４】
2008001714.tif 000018
【図５】
2008001714.tif 000019
【図６】
2008001714.tif 000020
【図７】
2008001714.tif 000021
【図８】
2008001714.tif 000022
【図９】
2008001714.tif 000023
【図１０】
2008001714.tif 000024
【図１１】
2008001714.tif 000025